(57)【要約】所定の時間間隔内で無線通信ネットワークを介してサーバーから表示装置にグラフィックイメージをダウンロードするためのシステムおよび方法。一実施形態において、無線装置のためのドッキングステーションは、表示装置を接続するためのコネクターを備える。ドッキングステーションは、所定の時間間隔内にダイアルトーンを表示装置に供給し、無線装置を介してサーバーへの接続を要求する。ドッキングステーションは所定の時間間隔外でダイアルトーンを供給しないであろう。
2008504743.tif 000002
【特許請求の範囲】
【請求項１】
無線通信接続を介して表示装置をサーバーに接続するためのドッキングステーションであって、前記ドッキングステーションは、無線装置とインターフェースし、表示装置が前記ドッキングステーションに接続され、公衆交換電話網を介して前記サーバーに電話をかけることができ、前記ドッキングステーションはさらに、所定の期間のみ、表示装置が前記サーバーに電話をかけることを選択的に可能にするドッキングステーション。
【請求項２】
ダイアルトーンジェネレーターをさらに備え、前記ダイアルトーンジェネレーターはダイアルトーンを前記表示装置に供給する、請求項１のドッキングステーション。
【請求項３】
電話番号検出器をさらに備え、前記電話番号検出器は、前記表示装置からダイアルされた番号情報を受信し、あて先電話番号をチェックする、請求項１のドッキングステーション。
【請求項４】
タイミング回路をさらに備え、あらかじめ設定された時間が記憶される、請求項１のドッキングステーション。
【請求項５】
コントローラーをさらに備え、前記コントローラーは前記タイミング回路をチェックし、あて先電話番号を前記無線装置に送信するかどうか決定する、請求項４のドッキングステーション。
【請求項６】
無線装置インターフェースモジュールをさらに備え、前記無線装置インターフェースモジュールは、前記無線装置への接続を有し、前記無線装置インターフェースは、あて先電話番号を受信し、前記あて先電話番号を前記無線装置に送信する、請求項１のドッキングステーション。
【請求項７】
電力モジュールをさらに備え、前記電力モジュールは、前記無線装置内のバッテリーを充電するための電気を供給する、請求項１のドッキングステーション。
【請求項８】
前記表示装置への接続を供給するためのコネクターをさらに備えた、請求項１のドッキングステーション。
【請求項９】
前記コネクターは電話コネクターである、請求項８のドッキングステーション。
【請求項１０】
所定の時間において表示装置をサーバーに接続し、前記表示装置により表示するために前記サーバーからグラフィックイメージを受信する方法において、
前記サーバーに関連するあて先電話番号を受信するためのステップと、
現在時刻が所定の時間間隔内にあるかどうかチェックするステップと、
現在時刻が前記所定の時間間隔内なら、前記あて先電話番号を無線装置に送信するためのステップと、
前記無線装置に前記あて先電話番号をダイアルするように要求するステップと、
前記無線装置を介して前記グラフィックイメージを受信するステップと、
前記グラフィックイメージを前記表示装置に送信するステップと、
を備えた方法。
【請求項１１】
ユーザーから所定の時間間隔を受信するステップをさらに備えた、請求項１０の方法。
【請求項１２】
前記無線装置がドッキングステーションに接続されることを検証するステップをさらに備えた、請求項１０の方法。
【請求項１３】
前記無線装置がアイドル状態であることを検証するステップをさらに備えた、請求項１０の方法。
【請求項１４】
前記無線装置が前記ドッキングステーションに接続されアイドル状態なら、ダイアルトーンを前記表示装置に供給するステップをさらに備えた、請求項１２の方法。
【請求項１５】
前記現在時刻が前記所定の時間間隔でないなら、ビジー信号を発生するステップと、
前記ビジー信号を前記表示装置に送信するステップと、
をさらに備えた、請求項１０の方法。
【請求項１６】
前記あて先電話番号は認識可能な電話番号であることを検証するステップをさらに備えた、請求項１０の方法。
【請求項１７】
無線ネットワークからグラフィックイメージを受信し、受信したデータを表示するための装置において、
ユーザーから受信された所定の時間間隔を記憶する手段と、
あて先電話番号を前記無線ネットワークに送信し、前記無線ネットワークから前記グラフィックイメージを受信する手段と、
無線ネットワークから受信された前記グラフィックイメージを記憶する手段と、
前記記憶された所定の時間間隔の期間に前記無線ネットワークから受信された前記グラフィックイメージを表示する手段と、
を備えた装置。
【請求項１８】
前記ユーザーから命令を受信するための手段をさらに備えた、請求項１７の装置。
【請求項１９】
無線ネットワークと通信しているサーバーからも無線送信を介してグラフィックイメージを受信し、前記グラフィックイメージを表示装置上に９表示する方法であって、前記グラフィックイメージは所定の時間間隔中に送信される方法において、
前記所定の時間間隔を示す情報を受信するステップと、
あて先電話番号を受信するステップと、
現在時刻が前記所定の時刻なら、無線電話ネットワークを介して前記あて先電話番号に接続するステップと、
前記グラフィックイメージを受信するためのステップと、
前記グラフィックイメージを表示するためのステップと、
を備えた方法。
【請求項２０】
無線通信を介して前記あて先電話番号を前記無線ネットワークに送信するステップをさらに備えた、請求項１９の方法。
【請求項２１】
コンピューター装置により実行されると、接続的に表示装置を無線装置に接続するコンピューター読み取り可能媒体に記憶されたコンピュータープログラムであって、前記コンピューター装置に、
前記サーバーに関連するあて先電話番号を受信するステップと、
現在時刻が所定時間間隔にあるかどうかチェックするステップと、
前記現在時刻が前記所定時間間隔内にあるなら、前記あて先電話番号を無線装置に送信するステップと、
前記無線装置に前記あて先電話番号をダイアルするように要求するステップと、
前記無線装置を介して前記グラフィックイメージを受信するステップと、
前記グラフィックイメージを前記表示装置に送信するステップと、
を実行させるコンピュータープログラム。
【請求項２２】
さらに、前記コンピューター装置に、ユーザーから所定の時間間隔を受信するステップを実行させる、請求項２１のコンピュータープログラム。
【請求項２３】
さらに、前記コンピューター装置に、前記無線装置がドッキングステーションに接続されていることを検証するステップ２を実行させる、請求項２１のコンピュータープログラム。
【請求項２４】
さらに、前記コンピューター装置に、前記無線装置がアイドルであることを検証するステップを実行させる、請求項２１のコンピュータープログラム。
【請求項２５】
さらに、前記コンピューター装置に、前記無線装置が前記ドッキングステーションに接続され、アイドルであるなら、ダイアルトーンを前記表示装置に供給するステップを実行させる、請求項２２のコンピュータープログラム。
【請求項２６】
さらに、前記コンピューター装置に、
前記現在時刻が前記所定の時間間隔でないなら、ビジー信号を発生するステップと、
前記ビジー信号を前記表示装置に送信するステップと、
を実行させる、請求項２１のコンピュータープログラム。
【請求項２７】
さらに、前記コンピューター装置に、前記あて先電話番号は認識可能な電話番号であることを検証するステップを実行させる、請求項２１のコンピュータープログラム。
【発明の詳細な説明】
【技術分野】
【０００１】
この発明は一般に無線電気通信に関する。
【０００２】
より具体的には、この発明は、周辺装置に断続的に接続された無線電気通信装置にデジタルコンテンツを配信するためのシステムおよび方法に関する。
【背景技術】
【０００３】
携帯電話、パーソナルデジタルアシスタント（ＰＤＡｓ）、地上波の無線ネットワークをアクセスする他の音声およびデータ装置とともに、様々な無線電気通信装置が増加している。新しい顧客を引きつけるために、無線サービスプロバイダーは著しい量の通信時間を提供し、多くの人々は、これらの提供をうまく利用してきた。例えば、人々は、伝統的な地上通信線ベースの電話なしで済ませ、主要な電気通信装置として無線電話を使用してきた。通信時間のこの初期の剰余のために、消費者は、データ転送、すなわちサーバーからコンピューターまたはコンピューターアプライアンスへデータをダウンロードするための媒体として無線電気通信装置を使い始めた。消費者行動のこの変化は、無線通信ネットワーク中のトラヒック量を増加させ、全体の音声およびデータトラヒックを遅くし、特にピークネットワーク時間使用期間中にそうであった。
【０００４】
無線サービスプロバイダーは、高価である無線ネットワークキャパシティを増加させることにより、およびオフピーク期間中により安い接続料金とわずかな時間を提供することによりオフピーク時のネットワークのより多くの使用を促進することによりこの問題を解決しようと試みた。しかしながら、オフピーク通信時間を使用するために消費者行動を変更する試みはほとんど失敗であった。ほとんどの消費者は依然として昼間のピーク時に無線ネットワークに接続し、無線ネットワークのトラヒックの少ない夜の時間帯を喜んで利用する人は少ない。
【０００５】
あらかじめ定義された時間に電話番号を自動的にダイアルすることにより伝統的な地上線ベースの電話ネットワークにおける低トラヒックを利用するために開発された装置が存在するが、これらの装置は無線装置にインターフェースすることができない。典型的に長距離電話レートのために通信レートを調停し、最もお気に入りのレートで電話線を介してデータを転送するように試みる他の電気通信装置もある。
【０００６】
従って、トラヒック量の少ない時間期間中に少なくとも部分的に無線ネットワークを介して無線装置ユーザーがデータを転送することを可能にするシステムと方法を提供することは利点があるであろう。従って、この発明は主としてそのようなシステムと方法に向けられている。
【発明の概要】
【０００７】
この発明は無線ネットワーク上のトラヒック量が低いとき、所定のオフピーク間隔期間中に表示装置にグラフィックイメージをダウンロードするための、無線電話のような、無線電気通信装置の使用を可能にする装置と方法である。一実施形態において、この発明は、無線装置インターフェース、タイミング回路、電話番号検出器、ダイアルトーン発生器、およびコントローラーを有するドッキングステーションのような装置である。この装置は、所定の時刻にダイアルトーンを表示装置に供給し、表示装置からあて先電話情報を受信する。あて先電話番号は典型的にサーバーに関連する。所定の時間は通常真夜中のようにトラヒック量が低いときであり、装置は所定の時間以外にはダイアルトーンを供給しないであろう。あて先電話番号を受信した後で、装置は、あて先電話番号を無線装置に送信し、無線装置に、無線ネットワークを介してあて先電話番号との接続を確立するように要求する。あて先電話番号が答えた後、装置は無線装置と表示装置との間の接続を確立し、次に表示装置は、サーバーからグラフィックイメージをダウンロードする手続を進める。
【０００８】
他の実施形態において、この発明はトランシーバー、タイミング回路、コントローラー、記憶装置、および表示装置を有する装置である。装置は、無線ネットワークを介してリモートサーバーに接続することができ、リモートサーバーからグラフィックイメージをダウンロードすることができる。装置は無線ネットワークと通信し、トランシーバーを介してあて先電話番号を送信する。リモートサーバーに接続した後に、装置は、グラフィックイメージをダウンロードし、表示装置におけるシーケンシャル表示のためにそれらを記憶装置に記憶する。無線ネットワークが低いトラヒック量を有するとき、装置は、所定の時間窓内にある無線ネットワークと通信する。
【０００９】
さらなる実施形態において、この発明は、表示装置、ドッキングステーションインターフェース、コントローラー、記憶装置を有する装置である。装置はドッキングステーションに接続し、表示装置で表示するためにドッキングステーションからグラフィックイメージを受信する。
【００１０】
この発明の他の目的、利点および特徴は、以下に述べられる図面の簡単な説明、発明の詳細な説明およびクレームを参照した後明白になるであろう。
【発明を実施するための最良の形態】
【００１１】
この記載において、用語「通信装置」、「無線装置」、「無線電話」、「無線通信装置」および「無線ハンドセット」は同義的に使用され、ここで使用される「アプリケーション」という用語は、実行および非実行のソフトウエアファイル、生データ、総合データ、パッチ、および他のコードセグメントを含むように意図される。さらに、類似の数字は、いくつかの図にわたって類似のエレメントを参照する。第３世代（３Ｇ）無線通信技術の出現により、携帯電話、ページャー、パーソナルデジタルアシスタンス（ＰＤＡｓ）が増大する無線能力を有するように、無線通信、ハンドセット、および無線電気通信装置に対してより多くの帯域幅が利用できるようになった。
【００１２】
図１は従来技術のセルラ電気通信ネットワーク１００を示す。通信ネットワーク１００は１つ以上の通信タワー１０６を含む。各タワーは、基地局（ＢＳ）１１０および通信装置１０２を有するサービングユーザーに接続される。通信装置１０６は、携帯電話、ページャー、パーソナルデジタルアシスタンツ（ＰＤＡｓ）、ラップトップコンピューター、または無線およびセルラ電気通信ネットワークを使用する他のハンドヘルド、固定されたまたはポータブル通信装置であり得る。各ユーザーにより入力されるコマンドとデータはデジタルデータとして通信タワー１０６に送信される。通信装置１０２を使用するユーザーと通信タワー１０６との間の通信は、符号分割多重アクセス（ＣＤＭＡ）、時分割多重アクセス（ＴＤＭＡ）、周波数分割多重アクセス（ＦＤＭＡ）、モバイル通信のためのグローバルシステム（ＧＳＭ）、または無線通信ネットワークまたはデータ通信ネットワークにおいて使用されてもよい他のプロトコルに基づくことができる。各ユーザーからのデータは通信タワー１０６から基地局（ＢＳ）１１０に送信され、公衆交換電話網（ＰＳＴＮ）１１８およびインターネット１２０に接続することができる、モバイルスイッチングセンター（ＭＳＣ）１１４に送られる。
【００１３】
ＭＳＣ１１３は無線通信装置１０２を用いた加入者に利用可能な異なるアプリケーションをサポートするサーバー１１６に接続されていてもよい。状況に応じて、サーバー１１６はＭＳＣ１１３の一部であり得る。サーバー１１６は、無線サービスサプライヤーまたは第三者により動作させることができる。サーバー１１６は、無線加入者によりダウンロードすることができるグラフィックイメージを記憶する。無線加入者は、モバイル識別番号（ＭＵＳＴ）または無線装置の電子識別番号（ＥＩＮ）により識別することができる。
【００１４】
図２はグラフィックディスプレイの一実施形態のアーキテクチャ２００である。表示装置２０６は無線電話１０２のためにドッキングステーション２０２に接続される。ドッキングステーション２０２も電源出力２０４に接続され無線電話１０２のバッテリーを充電する。バッテリーに電荷を供給することに加えて、ドッキングステーション２０２は、表示装置２０６をデータ転送相互接続で無線電話に接続する。従って、無線電話１０２は、無線通信を通信タワー１０６に供給する。
【００１５】
表示装置２０６は、Ｃｅｉｖａ（ｔｍ）からのデジタル写真受信機のようなデジタルグラフィックイメージを表示することができるピクチャーフレームであり得る。表示装置２０６は、ツイストペア電話線、他のケーブル、またはユニバーサルシリアルバス（ＵＳＢ）コネクターのような他のデータコネクターを用いてドッキングステーション２０２と接続することができる。ドッキングステーション２０２は表示装置２０６から電話線を受信するためのメスコネクターＲＪ−１１を有する。あるいは、ドッキングステーション２０２は、ＵＳＢコネクター、シリアルバスコネクター、パラレルバスコネクターまたは他のデータコネクターを装備することができる。この実施形態において、ドッキングステーション２０２は、表示装置２０６と無線電話１０２との間に通信を提供する。
【００１６】
図３は、無線トランシーバーを装備した表示装置３０６が使用されるシステムの実施形態を図解する。この実施形態において、表示装置３０６は、無線送信を介して通信タワー１０６と直接通信する。表示装置３０６はサーバー１１６に関連するあて先電話をダイアルし、無線通信ネットワークを介してサーバー１１６との接続を確立する。グラフィックイメージは無線通信ネットワークを介してサーバー１１６から表示装置３０６に直接ダウンロードされる。
【００１７】
図４はドッキングステーション２０２の一実施形態のアーキテクチャ４００を図解する。ドッキングステーション２０２はコントローラー４０１、電力モジュール４０２、ダイアルトーンジェネレーター４０４、電話番号検出器４０６、タイミング回路４０８および無線装置インターフェース４１０を有する。電力モジュール４０２は、ドッキングステーション２０２が無線電話１０２のためのチャージングステーションとして動作することを可能にする。ダイアルトーンジェネレーター４０４はダイアルトーンをＲＪ−１１ジャック４１４に供給する。
【００１８】
しかしながら、ダイアルトーンをＲＪ−１１ジャック４１４に供給する前に、コントローラー４０１は、タイミング回路４０８を用いて、現時点が所定の期間内にあるかどうかをチェックする。ドッキングステーション２０２は、所定の期間内のＲＪ−１１ジャック４１４にダイアルトーンを供給するだけである。これは、表示装置２０６があらかじめ定義された期間外の無線電気通信ネットワークに接続することを防止する。あらかじめ定義されたまたは所定の期間は、ユーザーにより設定することができ、電気通信ネットワークが低いトラヒックボリュームを有するとき、典型的に１０ＰＭおよび５ＡＭの間である。
【００１９】
表示装置が所定の期間にサーバー１１６へのアクセスを要求するなら、ドッキングステーション２０２は、無線電気通信ネットワークに接続を供給する。ダイアルする能力を装備したディスプレイ装置２０６は、ＲＪ−１１ジャック４１４によってドッキングステーション２０２に接続することができる。ドッキングステーション２０２は、電圧、典型的には４８ボルトをＲＪ−１１に供給し、ＲＪ−１１に接続された表示装置２０６が「オフフック」であるとき、電圧降下を検出することができる。表示装置２０６が「オフフック」になると、ダイアルトーンジェネレーター４０４はダイアルトーンを表示装置２０６に発生する。
【００２０】
ダイアルトーンが表示装置２０６に利用可能になるとき、表示装置２０６は、あて先電話番号をダイアルする手続を行う。ダイアルされた番号はドッキングステーション２０２により受信され、電話番号検出器ユニット４０６により処理される。電話番号検出器ユニット４０６は、所定の期間内に受信された番号が認識可能なあて先電話番号を形成するかどうかを検証する。あらかじめ定義された期間内で受信された電話番号が７桁、９桁または１０桁を有し、その後に北米番号プラン（ＮＡＮＰ）が続くなら、電話番号は、無線装置インターフェースユニット４１０に送られる。無線装置インターフェースユニット４１０は、あらかじめ定義されたプロトコルを介して無線電話１０２と通信し、表示装置２０６から受信された電話番号を無線電話１０２に送る。無線電話１０２は、電話番号を受信し、無線ネットワークを介して電話番号への接続を要求する。
【００２１】
図５は、図４のドッキングステーションを用いた接続プロセスのためのフローチャート５００である。ドッキングステーション２０２は現時点があらかじめ定義された期間内にあることをチェックし、ステップ５０１、無線電話がクレードルにあってアイドル状態にあるかどうか、すなわちドッキングステーション２０２にドッキングされているかどうかをチェックし、ステップ５０２、最後に、表示装置２０６がダイアルアウトを試みているかどうか、すなわち、」「オフフック」になっているかどうかをチェックする、ステップ５０３。上記すべてのテストが真であるなら、ドッキングステーション２０２はダイアルトーンを表示装置２０６に供給する、ステップ５０４。
【００２２】
数字が表示装置２０６から受信された後、ステップ５０６、ドッキングステーション２０２は数字が電話番号かどうかチェックする、ステップ５０８。それが電話番号でない場合、ドッキングステーションは、エラー信号を表示装置に供給する、ステップ５１０。エラー信号はＲＪ−１１ジャックへのビジー信号になり得る。エラー信号を供給した後、ドッキングステーション２０２は表示装置２０６がハングアップしたかどうかチェックする、ステップ５１２。表示装置２０６がハングアップするまで、ドッキングステーション２０２は、エラー信号を供給し続ける。
【００２３】
受信された数字が電話番号であるなら、ドッキングステーション２０２は、番号をダイアリングのために無線電話１０２に送信する、ステップ５１４。無線電話１０２が電話番号をダイアルし、サーバーとの接続を確立した後、ドッキングステーション２０２は、無線電話を表示装置と接続し、ステップ５１６、接続を監視する、ステップ５１８。ドッキングステーション２０２は接続が終了したかどうかを連続的にチェックする、ステップ５２０。接続が終了したとき、ドッキングステーションは、無線電話１０２と表示装置２０６との間の接続を遮断する。
【００２４】
図６は、表示装置２０６の一実施形態のアーキテクチャ６００を図解する。表示装置２０６は表示ユニット６０２、記憶ユニット６０４、コントローラー６０６、ドッキングステーションインターフェースユニット６０８および外部コネクター６１０を有する。表示装置２０６はドッキングステーションに接続しグラフィックイメージのための拡張された記憶場所として機能する。接続は、ＵＳＢ、シリアルポート、パラレルポート、または計算装置を接続するための任意の他の手段を介して行ってもよい。接続がなされた後、表示装置２０６はドッキングステーションからグラフィックイメージを受信することができ、グラフィックイメージは記憶ユニット６０４に記憶される。次に、コントローラー６０６は、表示ユニット６０２上のイメージの表示を制御するであろう。
【００２５】
いつおよびどのようにしてサーバーに接続するかを決定するために表示装置はドッキングステーションに依存するので、図６の表示装置は拡張された特徴を要求しない。従って、図６の表示装置２０６は記憶機能と表示機能だけを実行する。
【００２６】
図７は、図６の表示装置に接続されたドッキングステーションのための接続プロセスのためのフローチャート７００である。ドッキングステーションは、無線ハンドセットがドッキングされているかどうかチェックし、ステップ７０２、現在の時刻があらかじめ設定された時刻かどうかチェックし、ステップ７０４、サーバーにダイアルする前に、ステップ７０８、表示装置が接続されているかどうかチェックする、ステップ７０６。サーバーに接続した後に、ステップ７１０、ドッキングステーションは、ユーザー識別情報をサーバーに供給する、ステップ７１２。サーバーは、ユーザーが加入者であることを検証し、次に、グラフィックイメージを無線送信を介してドッキングステーションに送信する。ドッキングステーションはグラフィックイメージデータを受信し、ステップ７１４、それを記憶するために表示装置に送信する、ステップ７１６。
【００２７】
図８は図６の表示装置のためのフローチャート８００である。表示装置は、任意の入力されるグラフィックイメージデータがあるかどうかチェックする、ステップ８０２。表示装置がドッキングステーションに接続され、グラフィックイメージを受信しているなら、表示装置は、グラフィックイメージデータを受信し、ステップ８０４、そのデータを記憶ユニット６０４に記憶する、ステップ８０６。表示装置は、これ以上入力データがなくなるまで、継続してデータを受信し記憶する。
【００２８】
入力データを受信した後に、コントローラー６０６は、記憶ユニット６０４からイメージを検索し、ステップ８０８、タイマーをリセットし、ステップ８１０、イメージを表示ユニット６０２上に表示する。イメージは所定期間表示される。タイマーが満了すると、ステップ８１４、コントローラー６０６は、入力データがあるかどうかを最初にチェックし、次に、表示のためにつぎのイメージを検索することによりサイクルを反復する。
【００２９】
図９は図３に示される表示装置３０６のアーキテクチャ９００である。表示装置３０６は、コントローラー９０２、記憶ユニット９０４、表示ユニット９０６、タイミング回路９０８、ユーザーインターフェース９１０およびトランシーバー９１２を有する。表示装置３０６は、無線ネットワークに接続し、トランシーバー９１２を介してあて先電話番号を送信することによりサーバーへの無線電話を開始することができる。ユーザーはあて先電話番号およびユーザーインターフェース９１０を介してサーバーに接続するためのあらかじめ定義された期間を設定することができる。次に、表示装置３０６は、あらかじめ定義された期間内にサーバーに接続するのみである。
【００３０】
図１０は図９の表示装置上にグラフィックイメージを表示するためのフローチャート１０００である。コントローラー９０２は、記憶ユニット６０４からイメージを検索し、タイマーをリセットし、ステップ１００４、イメージを表示のために表示ユニット９０６に送信する、ステップ１００６。タイマーが満了すると、ステップ１００８、新しいグラフィックイメージが検索され表示される。
【００３１】
図１１は、図９の表示装置によりグラフィックイメージをダウンロードするためのフローチャート１１００である。表示装置は、グラフィックイメージデータをダウンロードするためにサーバーに接続する時刻かどうか決定する、ステップ１１０１。それが所定の時刻なら、表示装置は、サーバーのためのあて先電話番号を検索し、サーバーをダイアルする、ステップ１１０２。サーバーに接続した後、ステップ１１０４、表示装置は識別情報をサーバーに供給する、ステップ１１０６。表示装置が加入者に属することをサーバーが検証した後、サーバーはグラフィックイメージデータを表示装置に送信する。表示装置は、データを受信し、ステップ１１０８、データを記憶ユニット９０４に記憶する、ステップ１１１０。データを受信した後で、表示装置は、サーバーとの接続を切る、ステップ１１１２。
【００３２】
図１２は、システムの他の実施形態の図解である。この実施形態１２００において、表示装置は内蔵無線電話ドッキングおよびチャージングステーションを有する。表示／ドッキングステーション１２００は無線電話をチャージするためのクレードルとグラフィックイメージを表示するための表示装置を有する。装置１２００は、無線電話を介してサーバーをダイアルすることができ、グラフィックイメージを受信することができ、取り付けられた表示ユニット上にグラフィックイメージを表示することができる。
【００３３】
以下は、この発明の使用シナリオの記述である。ユーザーは表示装置２０６とドッキングステーションを購入し、サービスプロバイダーからピクチャーダウンローディングサービスに加入する。ピクチャーダウンローディングサービスは、無線サービスプロバイダーまたは独立した第三者により供給されることができる。ユーザー識別番号および／またはパスワードはユーザーに割り当てられる。ドッキングステーション２０２は、ユーザーの無線電話のためのバッテリーチャージングステーションとして機能することができる。
【００３４】
ユーザーは１０：００ＰＭから５：００ＡＭのようなあらかじめ定義された期間にのみ無線電話を介してダイアルアウトするために、表示装置２０６のような周辺機器にドッキングステーション２０２が断続的に接続可能にするようにドッキングステーション２０２をプログラムする。あらかじめ定義された期間外で無線ネットワークに接続する任意の試みは失敗するであろう。
【００３５】
ユーザーはサービスプロバイダーに関連するあて先電話番号を表示装置にプログラムし、また、ユーザーはサービスプロバイダーに接続するためのあらかじめ定義された期間も設定することができる。最後に、ユーザーは表示装置２０６をドッキングステーション２０２に接続する。ユーザーの友人および親類は、サービスプロバイダーに属するサーバーに画像をアップロードすることができる。また、これらの画像はユーザーの都合のよい時にダウンロードするためにユーザーに利用可能となるであろう。
【００３６】
一般に、ユーザーは昼間に無線装置１０２を持ち運び、夜間においては、無線装置１０２はドッキングステーションに置いてバッテリーを充電する。無線装置がそのバッテリーを充電しており、無線ネットワークのトラヒックボリュームが低い間、表示装置２０６または他の周辺機器はこの低いトラヒックおよび恐らく低い接続料金時間を利用して新しい画像をダウンロードするためにサーバーに接続する。
【００３７】
あらかじめ定義された時刻において、表示装置は「オフフック」となりダイアルトーンをチェックする。表示装置２０６がオフフックとなったことを検出し、無線装置１０２の時間と利用性を検証すると、ドッキングステーション２０２は、ダイアルトーンを供給し、ダイアルされた電話番号を待つ。所定期間数字を集めた後に、ドッキングステーションは、集めた数字が電話番号かどうかチェックする。
【００３８】
表示装置２０６があらかじめ定義された期間外でオフフックになるなら、ドッキングステーション２０２はダイアルトーンを供給しないであろう。そして表示装置２０６は、サーバーに接続することができないであろう。
【００３９】
数字が電話番号であることを確認した後に、ドッキングステーション２０２は、無線電話がドッキングされるかどうかチェックする。無線装置１０２がドッキングされるなら、ドッキングステーション２０２は、電話番号を無線装置１０２に送信し、接続を要求する。無線装置１０２は、サーバーに関連する電話番号をダイアルし、サーバーをドッキングステーション２０２に接続する。ドッキングステーション２０２は、無線装置１０２と表示装置２０６との間のパスを開き、表示装置２０６は次にダウンロードするための画像を要求する手続を行う。
【００４０】
画像をダウンロードした後に、表示装置２０６はハングアップする。このハングアップはドッキングステーション２０２により検出され、ドッキングステーション２０２は、ハングアップ信号を無線装置１０２に送信する手続を行う。表示装置２０６は画像をシーケンシャルに表示する手続をする。
【００４１】
無線サービスプロバイダーのコンピューター装置または無線通信装置上で実行可能な方法を考慮して、この発明はコンピューター読み取り可能媒体に常駐するプログラムを含む。この場合、プログラムは、サーバーまたはコンピュータープラットフォームを持つ他のコンピューター装置に方法のステップを実行するように指示する。コンピューター読み取り可能媒体は、サーバーのメモリまたは接続可能なデータベース内に存在し得る。さらに、コンピューター読み取り可能媒体は、磁気ディスクまたは磁気テープ、光ディスク、ハードディスク、フラッシュメモリ、または技術的に知られている他の記憶媒体のような、無線通信装置コンピュータープラットフォーム上にロード可能な二次記憶媒体に存在することができる。
【００４２】
発明のコンテキストにおいて、この方法は例えば、無線通信装置またはサーバーのように、無線ネットワークの一部（複数の場合もある）を動作させ、機械読み取り可能な命令のシーケンスを実行することにより実施されてもよい。命令は、さまざまなタイプの信号を有するまたはデータ記憶一次、二次または三次媒体内に常駐することができる。媒体は、例えば、無線ネットワークのコンポーネントによりアクセス可能であり、またはコンポーネント内に常駐するＲＡＭ（図示せず）で構成されてもよい。ＲＡＭ、ディスケット、または他の二次記憶媒体に含まれようとそうでなかろうと、命令は、ＤＡＳＤ記憶装置（例えば、一般的な「ハードドライブ」またはＲＡＩＤアレイ）、磁気テープ、電子リードオンリメモリ（例えば、ＲＯＭ、ＥＰＲＯＭ、またはＥＥＰＲＯＭ）、フラッシュメモリカード、光記憶装置（例えば、ＣＤ−ＲＯＭ、ＷＯＲＭ、ＤＶＤ，デジタル光テープ）、ペーパー「パンチ」カード、またはデジタルおよびアナログ送信媒体を含む他の適切なデータ記憶媒体のような様々な機械読み取り可能データ記憶媒体に記憶されてもよい。
【００４３】
この発明は、好適実施形態を参照して特に示され記載されたけれども、以下のクレームに記載されるようにこの発明の精神と範囲を逸脱することなく、形態および詳細における様々な変更が成されてもよいことは当業者により理解されるであろう。さらに、この発明のエレメントは単一で記載されまたはクレームされてもよいが、単一への限定が明示的に記載されない限り、複数が意図される。
【図面の簡単な説明】
【００４４】
【図１】図１は無線ネットワークの従来技術アーキテクチャを図解する。
【図２】図２はドッキングステーションがネットワークアクセスを表示装置に供給する実施形態を図解する。
【図３】図３は無線ネットワークを利用した単一表示装置を有した代替実施形態を図解する。
【図４】図４はドッキングステーションの一実施形態のアーキテクチャである。
【図５】図５はドッキングステーション上で実行する接続プロセスのフローチャートである。
【図６】図６は表示装置の一実施形態のアーキテクチャである。
【図７】図７はドッキングステーション上で実行する代替接続プロセスのためのフローチャートである。
【図８】図８は図６に示される表示装置のためのフローチャートである。
【図９】図９は表示装置の代替実施形態のアーキテクチャである。
【図１０】図１０は表示装置上のグラフィックイメージを表示するためのフローチャートである。
【図１１】図１１はグラフィックイメージを表示装置にダウンロードするためのフローチャートである。
【図１２】図１２は地上電話線接続を伴わないドッキングステーションの代替実施形態を図解する。
【図１】
2008504743.tif 000003
【図２】
2008504743.tif 000004
【図３】
2008504743.tif 000005
【図４】
2008504743.tif 000006
【図５】
2008504743.tif 000007
【図６】
2008504743.tif 000008
【図７】
2008504743.tif 000009
【図８】
2008504743.tif 000010
【図９】
2008504743.tif 000011
【図１０】
2008504743.tif 000012
【図１１】
2008504743.tif 000013
【図１２】
2008504743.tif 000014
【国際調査報告】
2008504743.tif 000015
2008504743.tif 000016
2008504743.tif 000017
2008504743.tif 000018
2008504743.tif 000019